(57)【要約】
【課題】握り手を、平板を重合した状態の握り易いものにし、掬い部と握り手との境界部分に補強連繋部を形成介在させた折曲げ組立てシャベルの提供。
【解決手段】長手方向先端側縁部を円弧状にした略縦長方形の折り畳み可能な厚紙等からなり、掬い部用区画ｂを補強連繋部用区画ｄおよび握り手用区画ｃ上に重合した状態に折り畳めるようにした台紙ａの、上記握り手用区画ｃの重合壁部３，６を起立状態にして双方を狭めるようにその外方から握ることにより、握り手用区画ｃの重合壁部３〜６が重合密接して握り手ｅとなるとともに、掬い部用区画ｂの側壁部ｂ２，ｂ３が底板部ｂ１に対し垂直に起立して掬い部ｆを形成し、これにより、掬い部ｆの後方に補強連繋部用区画ｄと握り手ｅとを水平に伸ばした状態にしてなる折曲げ組立てシャベル。
【選択図】　図５
0003099513.tif 000002
【実用新案登録請求の範囲】
【請求項１】
　長手方向先端側縁部を円弧状にした略縦長方形の厚紙等からなる台紙（ａ）が、上記長手方向先端側所要範囲を折曲げ可能な側壁部（ｂ２，ｂ３）と底板部（ｂ１）とからなる掬い部用区画（ｂ）とし、同長手方向基端側所要範囲を折曲げ可能な複数の重合壁部（３〜６）からなる握り手用区画（ｃ）とし、これら両区画（ｂ，ｃ）間を折曲げ可能な外側壁部（ｄ２，ｄ３）と受止め板部（ｄ１）とからなる補強連繋部用区画（ｄ）としていること、
　上記台紙（ａ）が、一側の側壁部（ｂ２），外側壁部（ｄ２）および重合壁部（３）を一斉に内方に向けて折り曲げ、底板部（ｂ１），受止め板部（ｄ１），重合壁部（４）の上に重合し、他側の側壁部（ｂ３），外側壁部（ｄ３）および重合壁部（６）を一斉に内方に向けて折り曲げ、底板部（ｂ１），受止め板部（ｄ１），重合壁部（５）の上に重合するとともに、上記掬い部用区画（ｂ）と補強連繋部用区画（ｄ）との間の境界線（イ）に沿って折り曲げ、掬い部用区画（ｂ）を補強連繋部用区画（ｄ）および握り手用区画（ｃ）に重合した状態に折り畳めるものであること、および、
　上記台紙（ａ）を、上記重合壁部（３，６）を起立状態にして双方を狭めるようにその外方から握ることにより、その重合壁部（３〜６）を重合密接させて握り手（ｅ）とするとともに、掬い部用区画（ｂ）の側壁部（ｂ２，ｂ３）を底板部（ｂ１）に対し垂直に起立させて掬い部（ｆ）を形成し、これにより、掬い部（ｆ）の後方に補強連繋部用区画（ｄ）と握り手（ｅ）とを水平に伸ばした状態にしてなることを特徴とする折曲げ組立てシャベル。
【請求項２】
　長手方向先端側縁部を円弧状にした略縦長方形の厚紙等からなる台紙（ａ）が、上記長手方向先端側所要範囲を折曲げ可能な側壁部（ｂ２，ｂ３）と底板部（ｂ１）とからなる掬い部用区画（ｂ）とし、同長手方向基端側所要範囲を折曲げ可能な複数の重合壁部（３〜６）からなる握り手用区画（ｃ）とし、これら両区画（ｂ，ｃ）間を折曲げ可能な外側壁部（ｄ２，ｄ３）と受止め板部（ｄ１）とからなる補強連繋部用区画（ｄ）としていること、
　上記台紙（ａ）が、一側の側壁部（ｂ２），外側壁部（ｄ２）および重合壁部（３）を一斉に内方に向けて折り曲げ、底板部（ｂ１），受止め板部（ｄ１），重合壁部（４）の上に重合し、他側の側壁部（ｂ３），外側壁部（ｄ３）および重合壁部（６）を一斉に内方に向けて折り曲げ、底板部（ｂ１），受止め板部（ｄ１），重合壁部（５）の上に重合するとともに、上記握り手用区画（ｃ）と受止め板部（ｄ）との間の境界線（ロ）に沿って折り曲げ、握り手用区画（ｃ）を補強連繋部用区画（ｄ）および掬い部用区画（ｂ）に重合した状態に折り畳めるものであること、および、
　上記台紙（ａ）を、上記重合壁部（３，６）を起立状態にして双方を狭めるようにその外方から握ることにより、その重合壁部（３〜６）を重合密接させて握り手（ｅ）とするとともに、掬い部用区画（ｂ）の側壁部（ｂ２，ｂ３）を底板部（ｂ１）に対し垂直に起立させて掬い部（ｆ）を形成し、これにより、掬い部（ｆ）の後方に補強連繋部用区画（ｄ）と握り手（ｅ）とを水平に伸ばした状態にしてなることを特徴とする折曲げ組立てシャベル。
【請求項３】
　長手方向先端側縁部を円弧状にした略縦長方形の厚紙等からなる台紙（ａ）が、該台紙（ａ）を横断する方向に互いに平行に走行する直線状の境界線（イ，ロ）により、長手方向先端側所要範囲の掬い部用区画（ｂ）と、同長手方向基端側所要範囲の握り手用区画（ｃ）と、これら両区画（ｂ，ｃ）間の補強連繋部用区画（ｄ）とに区画されていること、
　上記掬い部用区画（ｂ）が、該台紙（ａ）の縦方向に互いに平行に走行する境界線（１，２）により、その全幅の２分の１の幅の底板部（ｂ１）とその左右両側の全幅の４分の１の幅の側壁部（ｂ２，ｂ３）とに区画され、かつその側壁部（ｂ２，ｂ３）を境界線（１，２）沿って折曲できるようにしていること、
　上記握り手用区画（ｃ）が、該台紙（ａ）の縦方向に互いに平行に走行する３本の境界線（７〜９）により、その全幅を４等分する幅の重合壁部（３〜６）に区画され、かつその重合壁部（３〜６）を境界線（７〜９）に沿って折曲できるようにしていること、
　上記補強連繋部用区画（ｄ）が、該台紙（ａ）の縦方向に互いに平行に走行する境界線（１０，１１）により、その全幅の２分の１の幅の受け止め板部（ｄ１）とその左右両側の全幅の４分の１の幅の外側壁部（ｄ２，ｄ３）に区画され、かつその外側壁部（ｄ２，ｄ３）を境界線（１０，１１）に沿って折曲できるようにしていること、
　上記受け止め板部（ｄ１）が、上記境界線（イ）上に底辺を置くとともに境界線ロ上に対向頂点を置く三角形中央部（ｓ１）と、その左右に対称に配置される三角形内側壁部（ｓ２，ｓ３）とに、折曲可能な境界線（１２，１３）により区画されていること、
　上記台紙（ａ）が、一直線上に位置する上記境界線（１，１０，７）に沿って、一側の側壁部（ｂ２），外側壁部（ｄ２）および重合壁部（３）を一斉に内方に向けて折り曲げ、底板部（ｂ１），受止め板部（ｄ１），重合壁部（４）の上に重合し、同じく一直線上に位置する上記境界線（２，１１，９）に沿って、他側の側壁部（ｂ３），外側壁部（ｄ３）および重合壁部（６）を一斉に内方に向けて折り曲げ、底板部（ｂ１），受止め板部（ｄ１），重合壁部（５）の上に重合するとともに、境界線（イ）に沿って折り曲げ、掬い部用区画（ｂ）を補強連繋部用区画（ｄ）および握り手用区画（ｃ）に重合した状態に折り畳めるものであること、および、
　上記台紙（ａ）を、上記重合壁部（３，６）を起立状態にして双方を狭めるようにその外方から握ることにより、握り手用区画（ｃ）の重合壁部（３〜６）を重合密接させて握り手（ｅ）とするとともに、掬い部用区画（ｂ）の側壁部（ｂ２，ｂ３）を底板部（ｂ１）に対し直角に起立させて掬い部（ｆ）を形成し、これにより、掬い部（ｆ）の後方に補強連繋部用区画（ｄ）と握り手（ｅ）とを水平に、すなわち上記境界線（７，９，１０，１１）が、底板部（ｂ１）と同一平面上に位置するようにして伸ばした状態にしてなることを特徴とする折曲げ組立てシャベル。
【請求項４】
　長手方向先端側縁部を円弧状にした略縦長方形の厚紙等からなる台紙（ａ）が、該台紙（ａ）を横断する方向に互いに平行に走行する直線状の境界線（イ，ロ）により、長手方向先端側所要範囲の掬い部用区画（ｂ）と、同長手方向基端側所要範囲の握り手用区画（ｃ）と、これら両区画（ｂ，ｃ）間の補強連繋部用区画（ｄ）とに区画されていること、
　上記掬い部用区画（ｂ）が、該台紙（ａ）の縦方向に互いに平行に走行する境界線（１，２）により、その全幅の２分の１の幅の底板部（ｂ１）とその左右両側の全幅の４分の１の幅の側壁部（ｂ２，ｂ３）とに区画され、かつその側壁部（ｂ２，ｂ３）を境界線（１，２）沿って折曲できるようにしていること、
　上記握り手用区画（ｃ）が、該台紙（ａ）の縦方向に互いに平行に走行する３本の境界線（７〜９）により、その全幅を４等分する幅の重合壁部（３〜６）に区画され、かつその重合壁部（３〜６）を境界線（７〜９）に沿って折曲できるようにしていること、
　上記補強連繋部用区画（ｄ）が、該台紙（ａ）の縦方向に互いに平行に走行する境界線（１０，１１）により、その全幅の２分の１の幅の受け止め板部（ｄ１）とその左右両側の全幅の４分の１の幅の外側壁部（ｄ２，ｄ３）に区画され、かつその外側壁部（ｄ２，ｄ３）を境界線（１０，１１）に沿って折曲できるようにしていること、
　上記受け止め板部（ｄ１）が、上記境界線（イ）上に底辺を置くとともに境界線ロ上に対向頂点を置く三角形中央部（ｓ１）と、その左右に対称に配置される三角形内側壁部（ｓ２，ｓ３）とに、折曲可能な境界線（１２，１３）により区画されていること、
　上記台紙（ａ）が、一直線上に位置する上記境界線（１，１０，７）に沿って、一側の側壁部（ｂ２），外側壁部（ｄ２）および重合壁部（３）を一斉に内方に向けて折り曲げ、底板部（ｂ１），受止め板部（ｄ１），重合壁部（４）の上に重合し、同じく一直線上に位置する上記境界線（２，１１，９）に沿って、他側の側壁部（ｂ３），外側壁部（ｄ３）および重合壁部（６）を一斉に内方に向けて折り曲げ、底板部（ｂ１），受止め板部（ｄ１），重合壁部（５）の上に重合するとともに、境界線（ロ）に沿って折り曲げ、握り手用区画（ｃ）を補強連繋部用区画（ｄ）および掬い部用区画（ｂ）に重合した状態に折り畳めるものであること、および、
　上記台紙（ａ）を、上記重合壁部（３，６）を起立状態にして双方を狭めるようにその外方から握ることにより、握り手用区画（ｃ）の重合壁部（３〜６）を重合密接させて握り手（ｅ）とするとともに、掬い部用区画（ｂ）の側壁部（ｂ２，ｂ３）を底板部（ｂ１）に対し直角に起立させて掬い部（ｆ）を形成し、これにより、掬い部（ｆ）の後方に補強連繋部用区画（ｄ）と握り手（ｅ）とを水平に、すなわち上記境界線（７，９，１０，１１）が、底板部（ｂ１）と同一平面上に位置するようにして伸ばした状態にしてなることを特徴とする折曲げ組立てシャベル。
【請求項５】
　補強連繋部用区画（ｄ）の三角形中央部（ｓ１）と三角形内側壁部（ｓ２，ｓ３）を、境界線（１２，１３）において山形に折曲するとともに、境界線（ロ）およびその左右外端部分（ロ１，ロ２）を横向き山形すなわち外向きに折曲し、三角形中央部（ｓ１）を境界線（イ）で折曲しつつ前方に向けて持ち上げ、さらに、三角形内側壁部（ｓ２，ｓ３）を外側後方に向けて折り曲げ、また、側壁部（ｂ２，ｂ３）と外側壁部（ｄ２，ｄ３）を、境界線（イ）の左右外端部分（イ１，イ２）において内向きに折曲し、かつ、その外側壁部（ｄ２，ｄ３）を上記三角形内側壁部（ｓ２，ｓ３）に重合した状態にしてなることを特徴とする請求項３または４記載の折曲げ組立てシャベル。
【請求項６】
　上記握り手用区画（ｃ）と補強連繋部用区画（ｄ）とを区画する境界線（ロ）と、台紙（ａ）の縦中心線（ａ′）との交点に円孔（１４）を開口し、この円孔（１４）に、上記三角形中央部（ｓ１）の頂点を位置させ、境界線（ロ），境界線（８，１２，１３）を接続させた状態にしてなることを特徴とする請求項３，４または５記載の折曲げ組立てシャベル。
【請求項７】
　上記境界線（９）と境界線（１１）の上であって、それらの境界線（９，１１）が境界線（ロ）と交差する位置、および、上記境界線（７）と境界線（１０）の上であって、それらの境界線（７，１０）が同じく境界線（ロ）と交差する位置に切込み（１５，１５）を入れていることを特徴とする請求項３，４，５または６記載の折曲げ組立てシャベル。
【考案の詳細な説明】
【技術分野】
【０００１】
　本考案は、厚紙等の平板を折り曲げることにより所定の立体形状に組み立てられるようにしてなる折曲げ組立てシャベルに関する。
【背景技術】
【０００２】
　この種の折曲げ組立てシャベルとしては、例えば、登録実用新案第３０５２７４４号公報（特許文献１）に記載のペット用スコップが提案されている。
　それは、所要の輪郭形状をなす掬い部用区画と握り手用区画を形成して打抜き加工した一枚の紙を、手指で適宜折り曲げることにより掬い部と握り手を一体に組み立てられるようにしてなるものである。
【０００３】
【特許文献１】登録実用新案第３０５２７４４号公報
【０００４】
　さらに詳しくは、上記ペット用スコップは、先ず掬い部用区画を、その先端側に平行に形成してある複数本のプレス溝により内方に湾曲させて掬い部を組み立てるのに続き、握り手用区画を、それに所要の間隔で左右対称に形成してある複数本のプレス溝およびミシン目に沿って略直角に折り曲げることにより握り手を組み立てるものである。
【考案の開示】
【考案が解決しようとする課題】
【０００５】
　すなわち、上記公知のペット用スコップは、掬い部の組立てと握り手の組立てを各別に行わなければならないという不便があり、さらに、その握り手は、断面略矩形状に立体化された（特許文献１段落０００９）内空筒状の径太になるために、手へのフィット感に欠け、必ずしも使い勝手のいいものではない。　　　　
【０００６】
　本考案の目的は、握り手を折り曲げ組み立てることにより、掬い部が連繋して同時に折り曲げられ組み立てられるようにし、かつ、その握り手を、内空筒状ではなく平板が重合した状態の握り易いものにし、上記公知のものにおけるような欠点を解消した折曲げ組立てシャベルの提供にある。
【０００７】
　本考案の他の目的は、掬い部と握り手との境界部分に補強連繋部を形成介在させて、掬い部と握り手の境界部分を補強すること、また、コンパクトに折り畳んで持ち運びできるようにした折曲げ組立てシャベルを提供することにある。
【課題を解決するための手段】
【０００８】
　請求項１記載の本考案折曲げ組立てシャベルは、(i)長手方向先端側縁部を円弧状にした略縦長方形の厚紙等からなる台紙ａが、上記長手方向先端側所要範囲を折曲げ可能な側壁部ｂ２，ｂ３と底板部ｂ１とからなる掬い部用区画ｂとし、同長手方向基端側所要範囲を折曲げ可能な複数の重合壁部３〜６からなる握り手用区画ｃとし、これら両区画ｂ，ｃ間を折曲げ可能な外側壁部ｄ２，ｄ３と受止め板部ｄ１とからなる補強連繋部用区画ｄとしており、(ii)上記台紙ａが、一側の側壁部ｂ２，外側壁部ｄ２および重合壁部３を一斉に内方に向けて折り曲げ、底板部ｂ１，受止め板部ｄ１，重合壁部４の上に重合し、他側の側壁部ｂ３，外側壁部ｄ３および重合壁部６を一斉に内方に向けて折り曲げ、底板部ｂ１，受止め板部ｄ１，重合壁部５の上に重合するとともに、上記掬い部用区画ｂと補強連繋部用区画ｄとの間の境界線イに沿って折り曲げ、掬い部用区画ｂを補強連繋部用区画ｄおよび握り手用区画ｃに重合した状態に折り畳めるものであり、(iii)上記台紙ａを、上記重合壁部３，６を起立状態にして双方を狭めるようにその外方から握ることにより、その重合壁部３〜６を重合密接させて握り手ｅとするとともに、掬い部用区画ｂの側壁部ｂ２，ｂ３を底板部ｂ１に対し垂直に起立させて掬い部ｆを形成し、これにより、掬い部ｆの後方に補強連繋部用区画ｄと握り手ｅとを水平に伸ばした状態にしてなる。
【０００９】
　請求項２記載の本考案折曲げ組立てシャベルは、(i)長手方向先端側縁部を円弧状にした略縦長方形の厚紙等からなる台紙ａが、上記長手方向先端側所要範囲を折曲げ可能な側壁部ｂ２，ｂ３と底板部ｂ１とからなる掬い部用区画ｂとし、同長手方向基端側所要範囲を折曲げ可能な複数の重合壁部３〜６からなる握り手用区画ｃとし、これら両区画ｂ，ｃ間を折曲げ可能な外側壁部ｄ２，ｄ３と受止め板部ｄ１とからなる補強連繋部用区画ｄとしており、(ii)上記台紙ａが、一側の側壁部ｂ２，外側壁部ｄ２および重合壁部３を一斉に内方に向けて折り曲げ、底板部ｂ１，受止め板部ｄ１，重合壁部４の上に重合し、他側の側壁部ｂ３，外側壁部ｄ３および重合壁部６を一斉に内方に向けて折り曲げ、底板部ｂ１，受止め板部ｄ１，重合壁部５の上に重合するとともに、上記握り手用区画ｃと受止め板部ｄとの間の境界線ロに沿って折り曲げ、握り手用区画ｃを補強連繋部用区画ｄおよび掬い部用区画ｂに重合した状態に折り畳めるものであり、(iii)上記台紙ａを、上記重合壁部３，６を起立状態にして双方を狭めるようにその外方から握ることにより、その重合壁部３〜６を重合密接させて握り手ｅとするとともに、掬い部用区画ｂの側壁部ｂ２，ｂ３を底板部ｂ１に対し垂直に起立させて掬い部ｆを形成し、これにより、掬い部ｆの後方に補強連繋部用区画ｄと握り手ｅとを水平に伸ばした状態にしてなる。
【００１０】
　請求項３記載の本考案折曲げ組立てシャベルは、(i)長手方向先端側縁部を円弧状にした略縦長方形の厚紙等からなる台紙ａを、該台紙ａを横断する方向に互いに平行に走行する直線状の境界線イ，ロにより、長手方向先端側所要範囲の掬い部用区画ｂと、同長手方向基端側所要範囲の握り手用区画ｃと、これら両区画ｂ，ｃ間の補強連繋部用区画ｄとに区画し、(ii)上記掬い部用区画ｂを、該台紙ａの縦方向に互いに平行に走行する境界線１，２により、その全幅の２分の１の幅の底板部ｂ１とその左右両側の全幅の４分の１の幅の側壁部ｂ２，ｂ３に区画し、かつその側壁部ｂ２，ｂ３を境界線１，２沿って折曲できるようにしたものとし、(iii)上記握り手用区画ｃを、該台紙ａの縦方向に互いに平行に走行する３本の境界線７〜９により、その全幅を４等分する幅の重合壁部３〜６に区画し、かつその重合壁部３〜６を境界線７〜９に沿って折曲できるようにしたものとし、(iv)上記補強連繋部用区画ｄを、該台紙ａの縦方向に互いに平行に走行する境界線１０，１１により、その全幅の２分の１の幅の受け止め板部ｄ１とその左右両側の全幅の４分の１の幅の外側壁部ｄ２，ｄ３に区画し、かつその外側壁部ｄ２，ｄ３を境界線１０，１１に沿って折曲できるようにしたものとし、(v) 上記受け止め板部ｄ１を、上記境界線イ上に底辺を置くとともに境界線ロ上に対向頂点を置く三角形中央部ｓ１と、その左右に対称に配置される三角形内側壁部ｓ２，ｓ３とを折曲可能な境界線１２，１３により区画したものとし、(vi)一直線上に位置する上記境界線１，１０，７に沿って、一側の側壁部ｂ２，外側壁部ｄ２および重合壁部３を一斉に内方に向けて折り曲げ、底板部ｂ１，受止め板部ｄ１，重合壁部４の上に重合し、同じく一直線上に位置する上記境界線２，１１，９に沿って、他側の側壁部ｂ３，外側壁部ｄ３および重合壁部６を一斉に内方に向けて折り曲げ、底板部ｂ１，受止め板部ｄ１，重合壁部５の上に重合するとともに、境界線イに沿って折り曲げ、掬い部用区画ｂを補強連繋部用区画ｄおよび握り手用区画ｃに重合した状態に折り畳めるものとし、(vii)上記台紙ａを、上記重合壁部３，６を起立状態にして双方を狭めるようにその外方から握ることにより、握り手用区画ｃの重合壁部３〜６を重合密接させて握り手ｅとするとともに、掬い部用区画ｂの側壁部ｂ２，ｂ３を底板部ｂ１に対し直角に起立させて掬い部ｆを形成し、これにより、掬い部ｆの後方に補強連繋部用区画ｄと握り手ｅとを水平に、すなわち上記境界線７，９，１０，１１が、底板部ｂ１と同一平面上に位置するようにして伸ばした状態にしてなる。
【００１１】
　請求項４記載の本考案折曲げ組立てシャベルは、(i)長手方向先端側縁部を円弧状にした略縦長方形の厚紙等からなる台紙ａを、該台紙ａを横断する方向に互いに平行に走行する直線状の境界線イ，ロにより、長手方向先端側所要範囲の掬い部用区画ｂと、同長手方向基端側所要範囲の握り手用区画ｃと、これら両区画ｂ，ｃ間の補強連繋部用区画ｄとに区画し、(ii)上記掬い部用区画ｂを、該台紙ａの縦方向に互いに平行に走行する境界線１，２により、その全幅の２分の１の幅の底板部ｂ１とその左右両側の全幅の４分の１の幅の側壁部ｂ２，ｂ３に区画し、かつその側壁部ｂ２，ｂ３を境界線１，２沿って折曲できるようにしたものとし、(iii)上記握り手用区画ｃを、該台紙ａの縦方向に互いに平行に走行する３本の境界線７〜９により、その全幅を４等分する幅の重合壁部３〜６に区画し、かつその重合壁部３〜６を境界線７〜９に沿って折曲できるようにしたものとし、(iv)上記補強連繋部用区画ｄを、該台紙ａの縦方向に互いに平行に走行する境界線１０，１１により、その全幅の２分の１の幅の受け止め板部ｄ１とその左右両側の全幅の４分の１の幅の外側壁部ｄ２，ｄ３に区画し、かつその外側壁部ｄ２，ｄ３を境界線１０，１１に沿って折曲できるようにしたものとし、(v) 上記受け止め板部ｄ１を、上記境界線イ上に底辺を置くとともに境界線ロ上に対向頂点を置く三角形中央部ｓ１と、その左右に対称に配置される三角形内側壁部ｓ２，ｓ３とを折曲可能な境界線１２，１３により区画したものとし、(vi)一直線上に位置する上記境界線１，１０，７に沿って、一側の側壁部ｂ２，外側壁部ｄ２および重合壁部３を一斉に内方に向けて折り曲げ、底板部ｂ１，受止め板部ｄ１，重合壁部４の上に重合し、同じく一直線上に位置する上記境界線２，１１，９に沿って、他側の側壁部ｂ３，外側壁部ｄ３および重合壁部６を一斉に内方に向けて折り曲げ、底板部ｂ１，受止め板部ｄ１，重合壁部５の上に重合するとともに、境界線ロに沿って折り曲げ、握り手用区画ｃを補強連繋部用区画ｄおよび掬い部用区画ｂに重合した状態に折り畳めるものとし、(vii)上記台紙ａを、上記重合壁部３，６を起立状態にして双方を狭めるようにその外方から握ることにより、握り手用区画ｃの重合壁部３〜６を重合密接させて握り手ｅとするとともに、掬い部用区画ｂの側壁部ｂ２，ｂ３を底板部ｂ１に対し直角に起立させて掬い部ｆを形成し、これにより、掬い部ｆの後方に補強連繋部用区画ｄと握り手ｅとを水平に、すなわち上記境界線７，９，１０，１１が、底板部ｂ１と同一平面上に位置するようにして伸ばした状態にしてなる。
【００１２】
　請求項５記載の本考案は、補強連繋部用区画ｄの三角形中央部ｓ１と三角形内側壁部ｓ２，ｓ３を、境界線１２，１３において山形に折曲するとともに、境界線ロおよびその左右外端部分ロ１，ロ２を横向き山形すなわち外向きに折曲し、三角形中央部ｓ１を境界線イで折曲しつつ前方に向けて持ち上げ、さらに、三角形内側壁部ｓ２，ｓ３を外側後方に向けて折り曲げ、また、側壁部ｂ２，ｂ３と外側壁部ｄ２，ｄ３を、境界線イの左右外端部分イ１，イ２において内向きに折曲し、かつ、その外側壁部ｄ２，ｄ３を上記三角形内側壁部ｓ２，ｓ３に重合した状態にしてなる請求項３または４記載の折曲げ組立てシャベルである。
【００１３】
　請求項６記載の本考案は、上記握り手用区画ｃと補強連繋部用区画ｄとを区画する境界線ロと、台紙ａの縦中心線ａ′との交点に円孔１４を開口し、この円孔１４に、上記三角形中央部ｓ１の頂点を位置させ、境界線ロ，境界線８，１２，１３を接続させた状態にしてなる請求項３，４または５記載の折曲げ組立てシャベルである。
【００１４】
　請求項７記載の本考案は、上記境界線９と境界線１１の上であって、それらの境界線９，１１が境界線ロと交差する位置、および、上記境界線７と境界線１０の上であって、それらの境界線７，１０が同じく境界線ロと交差する位置に切込み１５，１５を入れている請求項３，４，５または６記載の折曲げ組立てシャベルである。
【考案の効果】
【００１５】
　本考案によれば、握り手ｅが、重合壁部３〜６を完全に重合密接させた状態をなすので、片手で握持し易く、しかも、掬い部ｆの先端縁部を円弧状にしているから、目的物を掬い上げる作業を簡単かつ確実に実施できる。
　掬い部ｆは、底板部ｂ１の両側に壁部ｂ２，ｂ３を垂直に起立させ、十分な深さを有しているので、掬った目的物がこぼれ落ちないよう確実に保持することができる。
　さらに、シャベルとして使用する前には、台紙ａを、コンパクトに折り畳んだ状態で収納しておいたり、持ち運んだりすることができる。
【考案を実施するための最良の形態】
【００１６】
　以下図面に例示した本考案の実施例について詳しく説明する。
【実施例】
【００１７】
　ａは長手方向先端側縁部を円弧状にした、略縦長方形の厚紙または段ボール等からなる台紙である。その台紙ａは、該台紙ａを横断する方向に互いに平行に走行する直線状の境界線イ，ロにより、長手方向先端側所要範囲の掬い部用区画ｂ、同長手方向基端側所要範囲の握り手用区画ｃ、および、これら両区画ｂ，ｃ間の補強連繋部用区画ｄに区画されている。
【００１８】
　上記掬い部用区画ｂは、該台紙ａの縦方向（上記境界線イ、ロに直交する方向）に互いに平行に走行する境界線１，２により、その全幅の２分の１の幅の底板部ｂ１とその左右両側の同全幅の４分の１の幅の側壁部ｂ２，ｂ３に区画し、その側壁部ｂ２，ｂ３を底板部ｂ１に対し、上記境界線１，２に沿って折曲できるようにしているものである。
　なお、該掬い部用区画ｂの先端縁部は、底板部ｂ１から左右両側の側壁部ｂ２，ｂ３にかけて、連続した円弧としているが、底板部ｂ１の先端縁部さえ円弧状にしておけば、左右両側の側壁部ｂ２，ｂ３の先端縁部は、たとえば直線状とするなど適宜変更してもよい。
【００１９】
　上記握り手用区画ｃは、その全幅を４等分する幅の重合壁部３〜６を、該台紙ａの縦方向に互いに平行に走行する３本の境界線７〜９により区画し、かつその境界線７〜９に沿って折曲できるようにしてある。
【００２０】
　上記補強連繋部用区画ｄは、該台紙ａの縦方向に互いに平行に走行する境界線１０，１１により、その全幅の２分の１の幅の受止め板部ｄ１とその左右両側の同全幅の４分の１の幅の外側壁部ｄ２，ｄ３を区画し、その外側壁部ｄ２，ｄ３を受け止め板部ｄ１に対し、上記境界線１０，１１に沿って折曲できるようにしてある。
　さらに、上記受止め板部ｄ１は、上記境界線イ上に底辺を置くとともに境界線ロに対向頂点を置く三角形中央部ｓ１と、その左右に対称に配置される三角形内側壁部ｓ２，ｓ３とに、折曲可能な境界線１２，１３により区画されている。
【００２１】
　１４は、上記握り手用区画ｃと補強連繋部用区画ｄとを区画する境界線ロと、台紙ａの縦中心線ａ′（したがってまた境界線８）との交点に開口する円孔であり、この円孔１４には、上記三角形中央部ｓ１の頂点が位置し、かつ、境界線ロ，境界線８，１２，１３が接続した状態になっている。
　また、１５，１５は、一直線上に位置する境界線７と境界線１０の上であって、それらの境界線７，１０が上記境界線ロと交差する位置、および、同じく一直線上に位置する境界線９と境界線１１の上であって、それらの境界線９，１１が上記境界線ロと交差する位置に、それぞれ入れた切込みである。
　これらの円孔１４、切込み１５，１５は、上記各境界線に沿って行う台紙ａの折曲げをしやすくするためのものである。
【００２２】
　上記したところから明らかなように、上記境界線イは、区画ｂ，ｄを、境界線ロは区画ｃ，ｄを、境界線１，２は底板部ｂ１と側壁部ｂ２，ｂ３を、境界線７〜９は握り手用区画ｃの重合壁部３〜６を、境界線１０，１１は受止め板部ｄ１と外側壁部ｄ２，ｄ３を、境界線１２，１３は三角形中央部ｓ１と内側壁部ｓ２，ｓ３を、それぞれ区画し、かつ、台紙ａを、手指で当該境界線に沿って内外所定の方向に折曲げ可能であればよいものである。
【００２３】
　しかし実際には、型押し細溝、半切り溝またはミシン目（台紙ａの内外面に貫通）等を予め入れておくと、折曲げ作業が容易かつ確実になることが明らかであり、本実施形態では、図において、主要な境界線、すなわち、点線により示した境界線ロの左右外端部分ロ１，ロ２をミシン目入りとし、二重線により示した境界線８および境界線１２，１３を半切り溝入りとした。
【００２４】
　上記構成の台紙ａを折り曲げて目的のシャベルを組み立てるには、次のようにする。
(i)　上記構成から明らかなように一直線上に位置する上記境界線１，１０，７に沿って、側壁部ｂ２，外側壁部ｄ２および重合壁部３を一斉に内方に向けて折り曲げ、折り癖をつける（図２）。また、同じく上記構成から明らかなように一直線上に位置する境界線２，１１，９に沿って、側壁部ｂ３，外側壁部ｄ３および重合壁部６を一斉に内方に向けて折り曲げ、折り癖をつける（図３）。
【００２５】
(ii)　その折り癖により、起立状態になった上記各部のうち、重合壁部３，６の双方を狭めるようにその外方から握ると、
(iii)　重合壁部４，５が境界線８において上方に山形に折曲し始め、同時に、受け止め板部ｄ１が全体的に上方に持ち上がり（図４）、すなわち、三角形中央部ｓ１と三角形内側壁部ｓ２，ｓ３が、境界線１２，１３において山形に折曲するとともに、境界線ロ，ロ１，ロ２が横向き山形すなわち外向きに折曲し、三角形中央部ｓ１が境界線イで折曲しつつ前方に向けて持ち上がり、さらに、三角形内側壁部ｓ２，ｓ３が外側後方に向けて折り曲がり、
(iv)　側壁部ｂ２，ｂ３と外側壁部ｄ２，ｄ３が、境界線イの左右外端部分イ１，イ２において内向きに折曲し、かつ、その外側壁部ｄ２，ｄ３が上記三角形内側壁部ｓ２，ｓ３に重合し、
(v)　ついには、握り手用区画ｃの重合壁部３〜６が完全に重合密接して、握り手ｅとなるとともに、掬い部用区画ｂの壁部ｂ２，ｂ３が底板部ｂ１に対し垂直に起立して掬い部ｆを形成する。
【００２６】
　これにより、掬い部ｆの後方に補強連繋部用区画ｄと握り手ｅとを水平に、すなわち上記境界線７，９，１０，１１が、底板部ｂ１と同一平面上に位置する状態にして伸ばし、かつ、外側壁部ｄ２，ｄ３，三角形内側壁部ｓ２，ｓ３および重合壁部３〜６をも底板部ｂ１に対し垂直に起立させた状態をなすシャベルが組み上がる（図５〜７）。
【００２７】
　このシャベルは、握り手ｅが、重合壁部３〜６を完全に重合密接した状態をなすので、片手で握持し易く、しかも、掬い部ｆの先端縁部が円弧状にしているから、目的物を掬い上げる作業を簡単かつ確実に実施できる。
　また、掬い部ｆは、底板部ｂ１の両側に壁部ｂ２，ｂ３を垂直に起立させ、十分な深さを有しているので、掬った目的物がこぼれ落ちないよう確実に保持することができる。
【００２８】
　上記台紙ａはまた、シャベルとしての使用前には、次のようにしてコンパクトに折り畳んでおくことができる。
【００２９】
(i)　一直線上に位置する上記境界線１，１０，７に沿って、一側の側壁部ｂ２，外側壁部ｄ２および重合壁部３を一斉に内方に向けて折り曲げ、底板部ｂ１，受止め板部ｄ１，重合壁部４の上に重合する。また、同じく一直線上に位置する上記境界線２，１１，９に沿って、他側の側壁部ｂ３，外側壁部ｄ３および重合壁部６を一斉に内方に向けて折り曲げ、底板部ｂ１，受止め板部ｄ１，重合壁部５の上に重合する（図１０）。
【００３０】
(ii)上記のように折り曲げられた状態の台紙ａを、さらに、境界線イ（イ１，イ２）に沿って折り曲げ、掬い部用区画ｂを補強連繋部用区画ｄおよび握り手用区画ｃ上に重合する（図１１）。
　なお、ここでは境界線イに沿って折り畳むこととしたが、境界線ロに沿って折り畳むようにしてもよい。
【００３１】
　このように折り畳むことによって、シャベルとして使用する前の台紙ａを、コンパクトな状態で収納しておくことができる。
【産業上の利用可能性】
【００３２】
　上記のシャベルは、コンパクトに折り畳んでおけるので、ポケットに収納するなどして持ち歩くことが容易にできる。したがって、犬の散歩等に持って行き、その排泄物を掬うのに好適で、掬い上げた排泄物を確実に保持できる。
【００３３】
　また、それは調味料や洗剤等の計量スプーンとして使用できるものであること明らかである。
【図面の簡単な説明】
【００３４】
【図１】本考案の一実施形態の台紙の平面図である。
【図２】上記台紙の一側を折曲し折り癖を付けている状態の平面図である。
【図３】上記台紙の他側を折曲し折り癖を付けている状態の平面図である。
【図４】上記台紙を折り曲げ始めた状態の斜視図である。
【図５】上記台紙を折り曲げ組み立てて得たシャベルの斜視図である。
【図６】同上の側面図である。
【図７】同上の縦断面図である。
【図８】図６のI−I線拡大断面図である。
【図９】図６のII−II線拡大断面図である。
【図１０】上記台紙を折り畳み始めた状態の平面図である。
【図１１】上記台紙を折り畳んだ状態の平面図である。
【符号の説明】
【００３５】
ａ　　　　　台紙
ａ′　　　　縦中心線
ｂ　　　　　掬い部用区画
ｂ１　　　　底板部
ｂ２，ｂ３　側壁部
ｃ　　　　　握り手用区画
ｄ　　　　　補強連繋部用区画
ｄ１　　　　受止め板部
ｄ２，ｄ３　外側壁部
ｓ１　　　　三角形中央部
ｓ２，ｓ３　三角形内側壁部
イ，ロ　　　境界線
イ１，イ２　境界線イの左右外端部分
ロ１，ロ２　境界線ロの左右外端部分
１，２　　　境界線
３〜６　　　重合壁部
７〜９　　　境界線
１０，１１　境界線
１２，１３　境界線
【図１】
0003099513.tif 000003
【図２】
0003099513.tif 000004
【図３】
0003099513.tif 000005
【図４】
0003099513.tif 000006
【図５】
0003099513.tif 000007
【図６】
0003099513.tif 000008
【図７】
0003099513.tif 000009
【図８】
0003099513.tif 000010
【図９】
0003099513.tif 000011
【図１０】
0003099513.tif 000012
【図１１】
0003099513.tif 000013